(57)【要約】【課題】電池交換作業を行う際の作業性を向上させた電子装置を提供する。【解決手段】電子装置は、電池から電力の供給を受ける電子装置である。電子装置は、着脱可能な前記電池が装着される電池収容部と、前記電池が前記電池収容部に装着されていない非装着状態になった場合に前記電池から供給される電力に代えて電力を供給する蓄電部と、前記蓄電部からの電力供給によって所定機能に関する表示を行う表示部と、前記蓄電部からの電力供給によって前記所定機能が機能可能な時間に関する情報を求め、当該情報に基づく表示を前記表示部に表示させる表示制御部と、を有する。【選択図】図１
2013153269.tif 000002
【特許請求の範囲】
【請求項１】
電池から電力の供給を受ける電子装置であって、
着脱可能な前記電池が装着される電池収容部と、
前記電池が前記電池収容部に装着されていない非装着状態になった場合に前記電池から供給される電力に代えて電力を供給する蓄電部と、
前記蓄電部からの電力供給によって所定機能に関する表示を行う表示部と、
前記蓄電部からの電力供給によって前記所定機能が機能可能な時間に関する情報を求め、当該情報に基づく表示を前記表示部に表示させる表示制御部と、を有することを特徴とする電子装置。
【請求項２】
請求項１に記載の電子装置であって、
前記電池の非装着状態を検出する検出部と、
前記検出部による前記電池の非装着状態の検出以降に、前記蓄電部の蓄電量が所定の閾値より少ない状態であるか否かを判別し、前記所定の閾値より少ない状態であれば蓄電量低下状態にあると判定する状態判定部と、をさらに備え、
前記表示制御部は、前記蓄電量低下状態になっている場合に、前記情報を求めて当該情報に基づく表示を前記表示部に表示させることを特徴とする電子装置。
【請求項３】
請求項２に記載の電子装置であって、
前記表示制御部は、
前記電池の非装着状態の継続時間を検出する継続時間検出部
を備え、
前記表示制御部は、
前記検出された継続時間に応じて、前記蓄電量低下状態にあることを表示部に表示させることを特徴とする電子装置。
【請求項４】
請求項３に記載の電子装置であって、
前記検出された継続時間に応じて、前記所定機能を動作させる機能動作状態から前記所定機能の動作を停止させる機能停止状態に制御する状態制御部
を備え、
前記所定機能には、前記所定機能の動作を継続させる優先度が異なる複数の機能があることを特徴とする電子装置。
【請求項５】
請求項４に記載の電子装置であって、
前記表示制御部は、
前記蓄電量低下状態を前記複数の機能に対応させて前記表示部に表示させることを特徴とする電子装置。
【請求項６】
請求項４又は請求項５に記載の電子装置であって、
前記表示制御部は、
前記蓄電量低下状態を前記蓄電部の蓄電量の残量表示として前記表示部に表示させることを特徴とする電子装置。
【請求項７】
請求項４から請求項６の何れか一項に記載の電子装置であって、
前記表示制御部は、
前記蓄電量低下状態を前記所定機能が機能可能な時間として前記表示部に表示させることを特徴とする電子装置。
【請求項８】
請求項４から請求項７の何れか一項に記載の電子装置であって、
前記表示制御部は、
前記複数の機能ごとの前記蓄電量低下状態を、前記複数の機能に対応させて表示させることを特徴とする電子装置。
【請求項９】
請求項４から請求項７の何れか一項に記載の電子装置であって、
前記表示制御部は、
前記蓄電量低下状態を前記複数の機能に対応させて並べて前記表示部に表示させることを特徴とする電子装置。
【請求項１０】
請求項４から請求項９の何れか一項に記載の電子装置であって、
前記表示制御部は、
前記蓄電量低下状態を前記複数の機能に対応させて切り替えて表示させることを特徴とする電子装置。
【請求項１１】
請求項４から請求項１０の何れか一項に記載の電子装置であって、
前記状態制御部は、
前記優先度に応じたタイミングにより、前記複数の機能の動作を前記機能動作状態から前記機能停止状態にそれぞれ制御することを特徴とする電子装置。
【請求項１２】
請求項４から請求項１１の何れか一項に記載の電子装置であって、
前記複数の機能として、第１機能と、該第１機能より前記優先度が高い第２機能とがあり、
前記状態制御部は、
前記複数の機能を、前記継続時間が第１閾値時間に達するまでの期間においては前記第１機能及び前記第２機能をそれぞれ動作させる第１状態に制御して、前記継続時間が前記第１閾値時間を越えた後に、前記第２機能の動作を継続しつつ前記第１機能の動作を停止させる第２状態に制御することを特徴とする電子装置。
【請求項１３】
請求項１２に記載の電子装置であって、
前記状態制御部は、
前記複数の機能を、前記継続時間が前記第１閾値時間を越えた後から、前記第１閾値時間より長い第２閾値時間に達するまでの期間においては前記第２状態が継続するように制御して、前記継続時間が前記第２閾値時間を越えた後に、前記第１機能及び前記第２機能の何れの機能の動作も停止させる第３状態に制御することを特徴とする電子装置。
【請求項１４】
請求項１３に記載の電子装置であって、
前記状態制御部が前記機能の動作の状態を制御する制御対象には、前記第１機能を動作させる第１機能部、及び、前記第２機能を動作させる第２機能部が含まれており、
前記第１機能部及び前記第２機能部には、それぞれ独立に電力が供給されており、
前記状態制御部は、
前記第１機能部及び前記第２機能部に対する前記電力の供給を前記優先度に応じてそれぞれ独立に制御することを特徴とする電子装置。
【請求項１５】
請求項３から請求項１４の何れか一項に記載の電子装置であって、
前記継続時間検出部は、
前記電池の非装着状態の継続時間を計時して、前記計時した時間に基づいて前記継続時間を検出することを特徴とする電子装置。
【請求項１６】
請求項３から請求項１５の何れか一項に記載の電子装置であって、
前記継続時間検出部は、
前記蓄電部の電圧に基づいて前記継続時間を検出することを特徴とする電子装置。
【請求項１７】
請求項３から請求項１６の何れか一項に記載の電子装置であって、
前記継続時間検出部は、
前記蓄電部の電圧が予め定められた所定の電圧になることを検出することにより前記継続時間を検出することを特徴とする電子装置。
【請求項１８】
請求項２から請求項１７の何れか一項に記載の電子装置。
前記検出部は、
前記蓄電部の電圧が予め定められた所定の電圧になることを検出することにより前記電池の非装着状態を検出することを特徴とする電子装置。
【請求項１９】
着脱可能な電池が装着される電池収容部と、前記電池が前記電池収容部に装着されていない非装着状態になった場合に前記電池から供給される電力に代えて電力を供給する蓄電部と、前記蓄電部からの電力供給によって所定機能に関する表示を行う表示部と、を備えた電子装置であって、前記電池から電力の供給を受ける電子装置が備えるコンピュータに、
前記蓄電部からの電力供給によって前記所定機能が機能可能な時間に関する情報を求め、当該情報に基づく表示を前記表示部に表示させるステップ
を実行させるためのプログラム。
【発明の詳細な説明】
【技術分野】
【０００１】
本発明は、電子装置、及びプログラムに関する。
【背景技術】
【０００２】
カメラをはじめとする電子装置には、電池を電源として機能するものがある。このような電子装置は、備えている半導体メモリーに電池からの電力を供給することにより、半導体メモリーが記憶している各種情報を保持している。上記半導体メモリーが各種情報を保持していることにより、電子装置は、各種情報に基づいて実施する各種機能を機能させることが可能となる。
ところで、電源である電池が交換される電池交換中の電子装置においては、電池が装着されていない状態が生じることから、半導体メモリーに対する電力供給が中断してしまう。このような電池交換中においても、半導体メモリーに電力を供給して、記憶している各種情報の消失を防ぐようにする技術がある（例えば、特許文献１参照）。
【先行技術文献】
【特許文献】
【０００３】
【特許文献１】特公平６−８７６３３号公報
【発明の概要】
【発明が解決しようとする課題】
【０００４】
しかしながら、特許文献１に記載の技術によっても、電子装置は、電池交換中の電子装置において蓄積されている蓄電量が徐々に低下して電力を供給できない状態になり、各種機能を機能させることが困難な状態になる。このような電子装置のユーザーは、電池交換中のように、電子装置に電池を装着していない状態において、各種機能を機能させることが困難な状態になるまでの時間を認知することができないという問題があった。
【０００５】
本発明は、このような事情に鑑みてなされたもので、その目的は、電池交換作業を行う際の作業性を向上させた電子装置、及びプログラムを提供することにある。
【課題を解決するための手段】
【０００６】
この発明は上述した課題を解決するためになされたもので、本発明は、電池から電力の供給を受ける電子装置であって、着脱可能な前記電池が装着される電池収容部と、前記電池が前記電池収容部に装着されていない非装着状態になった場合に前記電池から供給される電力に代えて電力を供給する蓄電部と、前記蓄電部からの電力供給によって所定機能に関する表示を行う表示部と、前記蓄電部からの電力供給によって前記所定機能が機能可能な時間に関する情報を求め、当該情報に基づく表示を前記表示部に表示させる表示制御部と、を有することを特徴とする電子装置である。
【０００７】
また、本発明は、着脱可能な電池が装着される電池収容部と、前記電池が前記電池収容部に装着されていない非装着状態になった場合に前記電池から供給される電力に代えて電力を供給する蓄電部と、前記蓄電部からの電力供給によって所定機能に関する表示を行う表示部と、を備えた電子装置であって、前記電池から電力の供給を受ける電子装置が備えるコンピュータに、前記蓄電部からの電力供給によって前記所定機能が機能可能な時間に関する情報を求め、当該情報に基づく表示を前記表示部に表示させるステップを実行させるためのプログラムである。
【発明の効果】
【０００８】
この発明によれば、電池を装着していない状態の作業性を向上させた電子装置、及びプログラムを提供することができる。
【図面の簡単な説明】
【０００９】
【図１】第１実施形態による撮像装置の構成の一例を示すブロック図である。
【図２】本実施形態における表示部１１０を示す図（その１）である。
【図３】本実施形態における表示部１１０を示す図（その２）である。
【図４】本実施形態における撮像装置が備える３つの機能部を制御する手順を示すフローチャートである。
【図５】第２実施形態における撮像装置の構成の一例を示す概略ブロック図である。
【図６】第３実施形態における撮像装置の構成の一例を示す概略ブロック図である。
【図７】第４実施形態における撮像装置の構成の一部を示す概略ブロック図である。
【発明を実施するための形態】
【００１０】
＜第１実施形態＞
以下、図面を参照して、本発明の実施の形態について説明する。以下の図面において同じ構成には同じ符号を附す。
【００１１】
図１は、この発明の第１実施形態による撮像装置１の構成の一例を示す概略ブロック図である。
この図１に示す撮像装置１（電子装置）は、レンズ交換式の撮像装置の一態様を示すものであり、交換レンズ２００と、交換レンズ２００を着脱可能なカメラボディ１００（電子装置）と、を備えている。この図１において、交換レンズ２００は、交換レンズ２００に設けられているレンズ側マウント部２０１を介して、カメラボディ１００に設けられているカメラボディ側マウント部１０１に装着されている。
【００１２】
また、交換レンズ２００のレンズ側マウント部２０１の近傍には、複数の電気的な接続端子（マウント接点）が設けられている。この図１に示す交換レンズ２００には、６つの接続端子ＴＬ１〜ＴＬ６が設けられている。一方、カメラボディ１００のカメラボディ側マウント部１０１の近傍にも、複数の電気的な接続端子（マウント接点）が設けられている。この図１に示すカメラボディ１００には、６つの接続端子ＴＢ１〜ＴＢ６が設けられている。交換レンズ２００がカメラボディ１００に対して装着されると、これら交換レンズ２００の接続端子ＴＬ１〜ＴＬ６は、カメラボディ１００の６つの接続端子ＴＢ１〜ＴＢ６の互いに対応する接続端子に対して電気的に接続される。
また、交換レンズ２００がカメラボディ１００に対して装着されると、交換レンズ２００（レンズ側マウント部２０１）の導電性の筐体部を含むレンズ側マウントグランド２５０と、カメラボディ１００（カメラボディ側マウント部１０１）の導電性の筐体部を含むカメラボディ側マウントグランド１５０とが電気的に接続される。
【００１３】
（交換レンズ２００の構成）
続いて、交換レンズ２００の構成について詳しく説明する。
交換レンズ２００は、レンズ鏡筒２１０と、レンズ制御部２３０と、メモリー部２３５と、電圧検出部２３６と、レンズ操作部２４０と、光学系駆動部２６０とを備えている。
【００１４】
レンズ鏡筒２１０は、光学系２１１を内部に有する。上記の光学系２１１は、撮影用のレンズとして、ズーム用レンズ、焦点調整用レンズ（フォーカスレンズ）、光学像の像ぶれ補正用レンズ（ＶＲレンズ）等の複数のレンズ、及び絞り機構を含んで構成されている。レンズ鏡筒２１０は、光学系２１１を駆動する光学系駆動部２６０などの、交換レンズ２００が備えるほかの構成を収容する。
【００１５】
本実施形態における光学系駆動部２６０は、ＡＦ（Auto Focus）モーター（ＡＦＭ）２６１と、ＡＦモーター（ＡＦＭ）駆動部２６２と、エンコーダ２６３とを備えている。
ＡＦモーター２６１は、光学系２１１に含まれるフォーカスレンズ（不図示）を駆動する動力源であり、フォーカスレンズの位置を変位させる。ＡＦＭ駆動部２６２は、レンズ制御部２３０の制御によりＡＦモーター２６１を駆動して、光学系２１１に含まれるフォーカスレンズ（不図示）の位置を変位させる。エンコーダ２６３は、光学系２１１におけるフォーカスレンズの位置を検出し、検出したフォーカスレンズの位置を示す位置情報をレンズ制御部２３０に送る。
なお、交換レンズ２００は、ユーザーに手動操作されることによってフォーカスレンズの位置を移動させるフォーカスリングを備えている構成としてもよい。
【００１６】
メモリー部２３５には、交換レンズ２００の光学系２１１の光学特性（焦点距離、開放Ｆ値等）や機能（オートフォーカス機能、絞り駆動方式、防振機能の有無等）等に関する情報であるレンズ情報が記憶されている。メモリー部２３５に記憶されているレンズ情報は、レンズ制御部２３０の制御により必要に応じて読み出される。
また、交換レンズ２００は、ユーザ（操作者）が操作可能な操作釦を有するレンズ操作部２４０を備えている。レンズ操作部２４０は、ユーザ（操作者）が操作可能な操作釦と、操作釦の操作状態を操作信号に変換する変換部（スイッチ）を備えており、操作釦ごとに操作状態を示す操作信号をレンズ制御部２３０に送信する。
【００１７】
レンズ制御部２３０は、装着されたカメラボディ１００との間で通信処理を行うとともに、交換レンズ２００の各部を制御する。
【００１８】
また、レンズ制御部２３０は、ユーザーの操作に応じてレンズ操作部２４０の操作釦が押下されることにより、押下された操作状態を示す操作信号を受信した場合、レンズ操作部２４０が検出した動作の開始を指示する操作がされたことを示す信号を、装着されたカメラボディ１００に対して送信する。
なお、レンズ制御部２３０は、光学系２１１に含まれるズーム用レンズ（不図示）、防振用レンズ（不図示）、絞り機構（不図示）等を駆動するそれぞれの駆動部（不図示）を駆動するそれぞれの駆動部（不図示）の制御も行う。
【００１９】
次に、交換レンズ２００のレンズ側マウント部２０１を介して装着されたカメラボディ１００との間の電気的な接続について説明する。
交換レンズ２００の接続端子ＴＬ１は、カメラボディ１００の接続端子ＴＢ１に接続され、光学系２１１を駆動する光学系駆動部２６０等の駆動系回路に給電されるパワー系電源ＰＷＲの電圧がカメラボディ１００から供給される。また、交換レンズ２００の接続端子ＴＬ２は、カメラボディ１００の接続端子ＴＢ２に接続され、レンズ制御部２３０、メモリー部２３５等の制御系回路に給電される制御系電源Ｖｃｃの電圧がカメラボディ１００から供給される。
【００２０】
なお、交換レンズ２００内において、パワー系電源ＰＷＲから給電される負荷の最大消費電力は、制御系電源Ｖｃｃから給電される負荷の最大消費電力よりも多い。
また、電圧検出部２３６は、パワー系電源ＰＷＲの電圧を検出（モニター）して、検出した電圧（給電状態）を、レンズ制御部２３０に送信する。
【００２１】
パワー系電源ＰＷＲに対応するグランドであるパワー系グランドＰＧＮＤは、交換レンズ２００の接続端子ＴＬ６とカメラボディ１００の接続端子ＴＢ６とを介して接続されている。交換レンズ２００内において、パワー系グランドＰＧＮＤは、例えば伸筒縮筒駆動部２２２、電圧検出部２３６等のそれぞれのグランド端子に接続されている。
なお、レンズ側マウントグランド２５０（ＭＧＮＤ）は、交換レンズ２００内において、制御系電源Ｖｃｃに対応するグランドとして、例えばレンズ制御部２３０、メモリー部２３５、レンズ操作部２４０等のそれぞれのグランド端子に接続されている。
【００２２】
交換レンズ２００の接続端子ＴＬ３、ＴＬ４、ＴＬ５は、カメラボディ１００の接続端子ＴＢ３、ＴＢ４、ＴＢ５にそれぞれ接続され、交換レンズ２００とカメラボディ１００との間の通信処理に関する信号が授受される。
レンズ制御部２３０は、接続端子ＴＬ３と接続端子ＴＢ３とを介して、カメラボディ１００と交換レンズ２００との装着を検出するためのハンドシェイク信号ＨＳを授受（通信）する。また、レンズ制御部２３０は、接続端子ＴＬ４と接続端子ＴＢ４とを介して、シリアル通信用のデータ信号ＤＡＴＡを授受（通信）する。また、レンズ制御部２３０は、接続端子ＴＬ５と接続端子ＴＢ５とを介して、シリアル通信用のクロック信号ＣＬＫをカメラボディ１００から受信する。
【００２３】
（カメラボディ１００の構成）
次に、カメラボディ１００の構成について詳しく説明する。
カメラボディ１００は、撮像部１０２と、表示部１１０と、表示部１１１と、音出力部１１２と、電源部１２０と、カメラ制御部１３０（状態制御部）と、メモリー部１３５と、カメラ操作部１４０と、バッテリー１６０を収納するバッテリー部１６０Ｂ（電池収容部）と、蓄電部１７０と、検出部１８０と、表示制御部１９０とを備えている。
【００２４】
撮像部１０２は、撮像素子、及びＡ/Ｄ変換部等を含んで構成されており、装着された交換レンズ２００の光学系２１１（レンズ鏡筒２１０）を介して入射された被写体光束（光学像）を露光し、露光したデータをデジタル信号に変換して画像データを生成する撮影理を行う。
なお、上述の撮像素子は、例えば、周知のＣＣＤ（Charge Coupled Device）又はＣＭＯＳ（Complementary Metal Oxide Semiconductor）センサ等を含んで構成されている。
【００２５】
表示部１１１は、液晶ディスプレイ、有機ＥＬ（Electro-Luminescence）ディスプレイ、又はＬＥＤ（Light  Emitting  Diode）等を含んで構成されている。このような表示部１１０は、撮像装置１の動作状態に基づく情報（制御情報）をユーザーに表示する。
例えば、表示部１１１は、カメラ制御部１３０からの制御に従った撮像装置１の動作状態に基づく情報を、文字情報やアイコン情報として表示部１１１に表示する。
【００２６】
表示部１１０は、液晶ディスプレイ、有機ＥＬ（Electro-Luminescence）ディスプレイ、又はＬＥＤ（Light  Emitting  Diode）等を含んで構成されている。このような表示部１１０は、表示制御部１９０からの制御に従った蓄電部１７０からの給電状態に基づく情報をユーザーに表示する。表示部１１０は、表示部１１１に比べ少ない消費電力で表示可能な構成とする。
本実施形態における表示部１１０は、蓄電部１７０からの電力供給によって機能させる所定機能に関する表示を行う。例えば、蓄電部１７０からの電力供給によって機能させる所定機能には、バッテリー１６０の交換中にメモリー部１３５が記憶する情報を保持する電源バックアップ処理が含まれる。
また、本実施形態における表示部１１０は、表示制御部１９０からの制御に従って、蓄電部１７０からの電力供給によって所定機能が機能可能な時間に関する情報に基づく表示を行う。例えば、上記の所定機能が機能可能な時間に関する情報には、バッテリー１６０の交換中にメモリー部１３５が記憶する情報を保持できる時間情報が含まれる。
また、本実施形態における表示部１１０は、表示制御部１９０からの制御に従って、蓄電部１７０からの電力供給によって所定の機能を機能させることが可能な時間に関する情報に基づいた表示を行う。例えば、本実施形態における表示部１１０は、表示制御部１９０からの制御に従って、バッテリー１６０の非装着状態の継続時間に応じて、蓄電部１７０の蓄電量が低下した状態（以下、蓄電量低下状態という。）にあること表示する。
【００２７】
また、本実施形態における表示部１１０は、表示制御部１９０からの制御に従って、蓄電量低下状態を複数の機能に対応させて表示するものであってもよい。
また、本実施形態における表示部１１０は、表示制御部１９０からの制御に従って、蓄電量低下状態を蓄電部１７０の蓄電量の残量表示として表示するものであってもよい。
また、本実施形態における表示部１１０は、表示制御部１９０からの制御に従って、蓄電量低下状態を所定機能が機能可能な時間として表示するものであってもよい。
また、本実施形態における表示部１１０は、表示制御部１９０からの制御に従って、複数の機能ごとの蓄電量低下状態を、複数の機能に対応させて表示するものであってもよい。
また、本実施形態における表示部１１０は、表示制御部１９０からの制御に従って、蓄電量低下状態を複数の機能に対応させて並べて表示するものであってもよい。
また、本実施形態における表示部１１０は、表示制御部１９０からの制御に従って、蓄電量低下状態を複数の機能に対応させて切り替ええて表示するものであってもよい。
【００２８】
表示制御部１９０は、バッテリー１６０の非装着状態が継続している継続時間に応じて、蓄電量低下状態にあることを表示部１１０に表示させる。
また、本実施形態における表示制御部１９０は、蓄電量低下状態を複数の機能に対応させて表示部１１０に表示させてもよい。
また、本実施形態における表示制御部１９０は、蓄電量低下状態を蓄電部１７０の蓄電量の残量表示として表示部１１０に表示させてもよい。
また、本実施形態における表示制御部１９０は、蓄電量低下状態を所定機能が機能可能な時間として表示部１１０に表示させてもよい。
また、本実施形態における表示制御部１９０は、複数の機能ごとの蓄電量低下状態を、複数の機能に対応させて表示させてもよい。
また、本実施形態における表示制御部１９０は、蓄電量低下状態を複数の機能に対応させて並べて表示部１１０に表示させてもよい。
また、本実施形態における表示制御部１９０は、蓄電量低下状態を複数の機能に対応させて切り替えて表示させてもよい。
【００２９】
また、本実施形態における表示制御部１９０は、継続時間検出部１９０ｔを備える。
継続時間検出部１９０ｔは、バッテリー１６０がバッテリー部１６０Ｂからはずされた状態（バッテリー１６０の非装着状態）の継続時間を検出する。このような継続時間検出部１９０ｔは、バッテリー１６０の非装着状態の継続時間を計時して、計時した時間に基づいて継続時間を検出する。
【００３０】
バッテリー１６０は、バッテリー部１６０Ｂに収納されることでカメラボディ１００に搭載され、カメラボディ１００の各部及びカメラボディ１００に装着された交換レンズ２００の各部に対して給電する。例えば、バッテリー１６０は、リチウムイオン２次電池又はニッケル水素２次電池等である。なお、バッテリー１６０は、アルカリ電池等の１次電池であってもよい。なお、カメラボディ１００は、バッテリー１６０から給電される構成に限られず、外部の直流電源（例えば、交流電源から直流電源に変換して電圧を供給するＡＣアダプター等）から給電されてもよい。
【００３１】
また、収納されているバッテリー１６０の正極端子が接続されているバッテリー部１６０Ｂの端子は、スイッチ１２３を介して電源部１２０と接続端子ＴＢ１とに接続されている。これにより、バッテリー１６０から供給される電圧（バッテリー電圧）に応じたパワー系電源ＰＷＲの電圧が、電源部１２０と接続端子ＴＢ１とにそれぞれ給電される。
また、パワー系電源ＰＷＲに対応するグランドであるパワー系グランドＰＧＮＤは、収納されているバッテリー１６０の負極端子が接続されているバッテリー部１６０Ｂの端子と、接続端子ＴＢ６と、電源部１２０のグランド端子とにそれぞれ接続されている。
【００３２】
電源部１２０は、バッテリー１６０から供給されるバッテリー電圧を、カメラボディ１００又はカメラボディ１００に装着される交換レンズ２００の各部に供給する電圧に変換する。例えば、電源部１２０は、バッテリー電圧を変換することで、交換レンズ２００のレンズ制御部２３０に供給する制御系電源Ｖｃｃの電圧を生成して、接続端子ＴＢ２に給電する。この制御系電源Ｖｃｃの電圧は、カメラボディ１００の電源部１２０から接続端子ＴＢ２と交換レンズ２００の接続端子ＴＬ２とを介して、交換レンズ２００のレンズ制御部２３０に供給される。
【００３３】
また、電源部１２０は、バッテリー電圧を変換することで、カメラボディ１００が備えている制御系回路（主にカメラ制御部１３０）に供給する制御系電源ＶＤＤの電圧を生成する。カメラ制御部１３０には、この生成した制御系電源ＶＤＤの電圧がダイオード１２２を介して電源部１２０に給電されるとともに、ダイオード１２１を介してバッテリー１６０からバッテリー電圧が給電される。例えば、電源部１２０がカメラ制御部１３０に供給する制御系電源ＶＤＤの電圧を生成している際は、カメラ制御部１３０には、バッテリー電圧よりも高い電圧である制御系電源ＶＤＤの電圧が供給される。一方、例えばカメラボディ１００の主電源スイッチがオフされて、電源部１２０が制御系電源ＶＤＤの電圧の給電を停止した場合、制御系電源ＶＤＤの電圧がバッテリー電圧よりも低い電圧となり、カメラ制御部１３０には、バッテリー電圧が供給される。カメラ制御部１３０は、このバッテリー電圧の供給により、カメラボディ１００の主電源スイッチがオフされている間も、例えば時計回路の計時動作や所定の設定情報の記憶動作等を継続させる制御をする。
【００３４】
なお、カメラボディ側マウントグランド１５０（ＭＧＮＤ）は、カメラボディ１００内において、制御系電源ＶＤＤに対応するグランドとして、例えばカメラ制御部１３０、カメラ操作部１４０等を含む制御系回路（他に、撮像部１０２等を含む制御系回路）のそれぞれのグランド端子に接続されている。
【００３５】
本実施形態の蓄電部１７０は、電源端子ＴＰ１と、電源端子ＴＰ２と、接地端子ＴＧとを備える。蓄電部１７０は、バッテリー１６０に対して並列な回路になるように、電源端子ＴＰ１と接地端子ＴＧとが、バッテリー部１６０Ｂの正極端子と負極端子とにそれぞれ接続されている。このように接続された蓄電部１７０は、バッテリー１６０がバッテリー部１６０Ｂに装着されていない非装着状態になった場合にバッテリー１６０から供給される電力に代えて電力を供給する。例えば、蓄電部１７０は、両端が電源端子ＴＰ１と接地端子ＴＧとに接続されているコンデンサー１７２を備える。コンデンサー１７２の両端が電源端子ＴＰ１と接地端子ＴＧとに接続されている。
【００３６】
さらに蓄電部１７０は、電源端子ＴＰ２と接地端子ＴＧとによって、表示制御部１９０と、表示部１１０とに並列な回路になるように接続されている。このように接続された蓄電部１７０は、例えば、電池１７４をさらに備える。蓄電部１７０において、電池１７４の正極が蓄電部１７０における電源端子ＴＰ２に、電池１７４の負極が蓄電部１７０における接地端子ＴＧにそれぞれ接続されている。
なお、コンデンサー１７２は、電池交換時に電力を供給するための電池であってもよい。）
【００３７】
また、バッテリー部１６０Ｂには、検出部１８０が設けられている。検出部１８０は、バッテリー部１６０Ｂにおけるバッテリー１６０の非装着状態を検出する。
例えば、検出部１８０は、バッテリー１６０が装置されるバッテリー部１６０Ｂ内の空間に突出する突出部を備えるスイッチ部を備える。検出部１８０の突出部は、バッテリー１６０が装着されている状態と、装着されていない状態とを検出できるように設けられており、検出した状態に応じてスイッチの接点のＯＮ／ＯＦＦ状態を切り換える。
【００３８】
カメラ操作部１４０は、ユーザ（操作者）が操作可能な操作釦を有している。例えば、カメラ操作部１４０は、レリーズ釦、動作モードの選択釦（例えば、静止画撮影モード、動画撮影モード等を選択するモードダイヤル）、各種設定条件の選択釦（例えば、メニュー画面を表示させるメニュー釦、上下左右選択釦、確定釦、取消釦等）等を含んで構成されている。カメラ操作部１４０は、操作釦ごとに操作状態を示す操作信号を、カメラ制御部１３０に送信する。
なお、レリーズ釦は、撮影処理開始の指示を受け付ける操作部材であって、例えば、半押しされた状態（半押し状態、例えば、焦点調整、露出調整等を受け付ける状態）と全押しされた状態（全押し状態、例えば、露光開始の指示を受け付ける状態）との２種類の撮影処理開始の指示を受け付ける。
【００３９】
カメラ制御部１３０は、カメラボディ１００の各部を制御するとともに、装着された交換レンズ２００（レンズ制御部２３０）との間で通信処理を行うことにより、レンズ制御部２３０を介して交換レンズ２００の各部を制御する。すなわち、カメラ制御部１３０は、撮像装置１の各部を制御する。例えば、カメラ制御部１３０は、カメラ操作部１４０からの操作信号を検出して、検出した操作信号に基づいて撮像装置１の各部を制御する。
【００４０】
例えば、カメラ制御部１３０は、カメラ操作部１４０からの撮影モードを示す操作信号を検出することに応じて、設定されている撮影モード（例えば、静止画撮影モード、動画撮影モード等）で動作するように撮像部１０２を制御する。また、カメラ制御部１３０は、カメラ操作部１４０からの撮影指示を示す操作信号（例えば、レリーズ釦が押下（全押し）されたこと示す操作信号）を検出することに応じて、交換レンズ２００の光学系２１１を駆動させるための制御指令を、カメラ制御部１３０を介してレンズ制御部２３０に送信する。例えば、カメラ制御部１３０は、交換レンズ２００の光学系２１１（例えばズーム用レンズ、フォーカス用レンズ、防振用レンズ等）を駆動させるための制御指令をレンズ制御部２３０に対して送信する。また、カメラ制御部１３０は、撮像部１０２において生成された画像データに対して各種の画像処理（例えば、ＷＢ（White Balance）調整、色補正、及び階調補正等）を実行した後、当該画像データに圧縮処理を実行してカメラボディ１００に搭載されている記憶媒体（不図示）に記録する。
【００４１】
また、カメラ制御部１３０は、レンズ制御部２３０との間で通信処理を行うことにより、交換レンズ２００が装着されているか否かを示す情報、光学系２１１のレンズ情報、レンズ鏡筒２１０又は光学系２１１の駆動状態を示す情報、レンズ操作部２４０の操作状態を示す情報等を受信し、受信した情報に基づいて撮像装置１の各部を制御する。
例えば、カメラ制御部１３０は、交換レンズ２００が装着されているか否かを示す情報を、ハンドシェイク信号ＨＳにより授受することで、交換レンズ２００が装着されているか否かの装着検出を行う。また、カメラ制御部１３０は、データ信号ＤＡＴＡ及びクロック信号ＣＬＫを用いたシリアル通信により、光学系２１１のレンズ情報、レンズ鏡筒２１０又は光学系２１１の駆動状態を示す情報、レンズ操作部２４０の操作状態を示す情報等を受信する。
【００４２】
また、カメラ制御部１３０は、撮像装置１の動作状態に基づく情報を表示部１１１が表示するように制御する。
【００４３】
本実施形態におけるカメラ制御部１３０は、バッテリー１６０の非装着状態の情報を表示部１１０に表示させるように表示制御部１９０を制御する。
カメラ制御部１３０は、バッテリー１６０の非装着状態の継続時間に応じて、所定機能を動作させる機能動作状態から所定機能の動作を停止させる機能停止状態に制御する。例えば、バッテリー１６０の非装着状態の継続時間は、表示制御部１９０の継続時間検出部１９０ｔによって検出される。上記の所定機能には、所定機能の動作を継続させる優先度が異なる複数の機能がある。
【００４４】
カメラ制御部１３０は、上記優先度に応じて定められているタイミングにより、複数の機能の動作を機能動作状態から機能停止状態に遷移させるようにそれぞれ制御する。
例えば、複数の機能として、第１機能と、該第１機能より処理を継続して機能させておく優先度が高い第２機能とがある。より具体的な例として、バッテリー１６０を交換する場合を例にして説明する。比較的優先度の低い第１機能は、撮影した画像を再生する処理を行う機能があげられる。バッテリー１６０を交換するような場合には、撮影した画像を再生する処理を行うことが困難である。そこで、撮影した画像を再生する処理を行う機能を比較的優先度の低い第１機能とする。
この第１機能より優先度が高い第２機能（第３機能（図３参照））には、優先度の高い処理に必要とされる情報をメモリー部１３５に保持させておく機能があげられる。このような情報には、例えば、カレンダーの日付情報、時刻情報、ユーザーが選択した撮影処理を特定する動作モード情報などがある。
【００４５】
また、本実施形態におけるカメラ制御部１３０は、複数の機能を、上記継続時間が第１閾値時間に達するまでの期間においては第１機能及び第２機能をそれぞれ動作させる第１状態に制御して、上記継続時間が第１閾値時間を超えた後に、第２機能の動作を継続しつつ第１機能の動作を停止させる第２状態に制御する。
【００４６】
また、本実施形態におけるカメラ制御部１３０は、複数の機能を、上記継続時間が第１閾値時間を越えた後から、第１閾値時間より長い第２閾値時間に達するまでの期間においては第２状態が継続するように制御して、上記継続時間が第２閾値時間を越えた後に、第１機能及び第２機能の何れの機能の動作も停止させる第３状態に制御する。カメラ制御部１３０は、上記の第１閾値時間、及び、第２閾値時間を定める情報を、予めメモリー部１３５に記憶させるとともに、表示制御部１９０に設定する。
【００４７】
また、本実施形態におけるカメラ制御部１３０が機能の動作の状態を制御する制御対象には、第１機能を動作させる第１機能部、及び、第２機能を動作させる第２機能部が含まれる。この、第１機能部及び第２機能部には、それぞれ独立に電力が供給されている。また、本実施形態におけるカメラ制御部１３０は、第１機能部及び第２機能部に対する電力の供給を優先度に応じてそれぞれ独立に制御する。
【００４８】
続いて、第１実施形態におけるバッテリー１６０を交換する場合の処理について説明する。
ここで本実施形態の処理を説明するに当たり、本実施形態のカメラボディ１００と対比するために従来のカメラボディ１００Ｄ（不図示）による処理の一実施形態を示す。
カメラボディ１００Ｄの電源であるバッテリー１６０を交換する電池（バッテリー）交換中においては、バッテリー１６０が装着されていない状態が生じてバッテリー１６０からの電力供給が中断する。そして、カメラボディ１００Ｄにおいて、メモリー部１３５が揮発性メモリーであった場合、バッテリー１６０を交換することによりメモリー部１３５への電力供給が中断する。その結果、メモリー部１３５は各種情報の記憶状態を保持できずに、記憶していた各種情報を消失してしまう。
上記のように、メモリー部１３５において記憶されていた各種情報が、バッテリー１６０を交換することによって消失してしまう場合を回避するために、バッテリー１６０に並列な回路になるように接続されるコンデンサーを設けている場合がある。カメラボディ１００Ｄは、カメラボディ１００Ｄにバッテリー１６０を装着していない状態において、コンデンサーに蓄電している電気量をメモリー部１３５に対して供給することにより各種機能を一時的に機能させることができる。
【００４９】
ただし、コンデンサーに蓄電されている電気量には上限がある。単にバッテリー１６０に並列な回路になるように接続されるコンデンサーを設ける場合においても、コンデンサーからメモリー部１３５に対して供給可能な電気量が制限される。電子装置にバッテリー１６０を装着していない状態において、コンデンサーに蓄電している電気量の消費を続けていると、コンデンサーに蓄電している電気量がしだいに低下する。コンデンサーに蓄電している電気量が所定の基準値より低下した場合には、コンデンサーからメモリー部１３５に対して電力を供給することができなくなり、メモリー部１３５が記憶していた各種情報を消失してしまうこととなる。要するに、単にバッテリー１６０に並列な回路になるように接続されるコンデンサーを設けていても、バッテリー１６０に並列な回路になるように接続されるコンデンサーを設けていない場合と同様に、メモリー部１３５が記憶していた各種情報を消失してしまうこととなる。
【００５０】
このように、従来のカメラボディ１００Ｄにおいては、メモリー部１３５の記憶状態を保持することが可能な状態にあることを示す表示がなく、バッテリー１６０を交換しているユーザーは、バッテリー１６０の交換作業をいつまでに完了することが必要であるかを認知することができなかった。そのため、ユーザーが、メモリー部１３５の記憶状態を保持することが可能な状態が終了することを認知できずに、メモリー部１３５が記憶していた各種情報を突然消失することになる虞があった。
【００５１】
次に、第１実施形態におけるバッテリー１６０を交換する場合の処理について説明する。以下の説明においては、バッテリー１６０の交換が行われる際に、メモリー部１３５が記憶する情報を保持することができる期間の情報をカメラボディ１００が表示する場合を例にして説明する。
【００５２】
バッテリー１６０の交換に先立ち、カメラボディ１００においては、電源投入後の処理として初期化設定処理が行われ、初期化設定処理の結果がメモリー部１３５に記憶されている。例えば、カメラ制御部１３０は、カメラ操作部１４０がユーザーの操作を検出して、撮像装置１の制御状態を定める動作モード情報、カレンダー情報、時刻情報などをメモリー部１３５に記憶させる。また、メモリー部１３５にはバッテリー１６０からの電力が供給され、メモリー部１３５は、上記の各種情報を記憶して保持する。なお、カメラボディ１００は、スリープモードに設定されている。スリープモードは、撮影処理を行わない動作モードであり、撮影時に動作させる主要な機能部への電源供給を遮断するなどをして、消費電力を低減させている。このスリープモードにおいては、カメラ制御部１３０は、スイッチ１２３をＯＦＦ状態にして交換レンズ２００に対する電力供給を遮断する。また、カメラ制御部１３０は、電源部１２０を制御して、電源部１２０の出力電圧を低減させ、低減させた電源部１２０の出力電圧を交換レンズ２００に対して供給する電圧を低減させることにより、各部の電力を低減できるスリープモードに遷移させる。
【００５３】
ここで、以上に示した状態のもとで、ユーザーがバッテリー１６０を交換する。
バッテリー１６０がバッテリー部１６０Ｂからはずされたことにより、バッテリー１６０からカメラボディ１００に対する電力の供給が中断する。また、検出部１８０は、バッテリー１６０がバッテリー部１６０Ｂからはずされた状態にあることを検出し、検出した情報を表示制御部１９０に送る。
【００５４】
前述のとおりカメラボディ１００は蓄電部１７０を備えている。これにより、カメラボディ１００にバッテリー１６０が装着されていない状態になった場合であっても、蓄電部１７０は、バッテリー１６０に代わって、蓄電部１７０内（例えば、コンデンサー１７２）に蓄電している電気量をメモリー部１３５に対して供給する。
【００５５】
ただし、蓄電部１７０内（例えば、コンデンサー１７２）に蓄電されている電気量により、蓄電部１７０（例えば、コンデンサー１７２）からメモリー部１３５に対して供給可能な電気量が制限される。カメラボディ１００にバッテリー１６０を装着していない状態において、蓄電部１７０内に蓄電している電気量の消費を続けていると、蓄電部１７０内に蓄電している電気量（蓄電量）がしだいに低下する。この蓄電部１７０内に蓄電している電気量（蓄電量）の低下傾向を上記継続時間に応じた関数として定義することにより、蓄電部１７０内に蓄電している電気量の変化を直接的に測定することなく、電気量の変化量を推定することができる。
【００５６】
そこで、本実施形態においては、表示制御部１９０は、継続時間検出部１９０ｔによって、間接的に蓄電部１７０内に蓄電している電気量の変化を検出する。表示制御部１９０は、バッテリー１６０がバッテリー部１６０Ｂからはずされた状態の継続時間を以下のようにして検出する。
【００５７】
継続時間検出部１９０ｔは、検出部１８０によって検出された情報により、バッテリー１６０がバッテリー部１６０Ｂからはずされた状態になった時点を検出して上記継続時間の起点とする。表示制御部１９０は、継続時間検出部１９０ｔが計時した結果による上記継続時間が、予め定められた所定の時間より長いか否かを判定する。
【００５８】
上記継続時間の判定により、表示制御部１９０は、継続時間検出部１９０ｔが計時した結果による上記継続時間が、予め定められた所定の時間より長いと判定した場合、蓄電量低下状態にあることを表示部１１０に表示させる。
一方、上記継続時間の判定により、表示制御部１９０は、継続時間検出部１９０ｔが計時した結果による上記継続時間が、予め定められた所定の時間より短いと判定した場合、蓄電量低下状態に到っていないことを表示部１１０に表示させる。
上記のように表示部１１０に表示させる情報は、蓄電部１７０の蓄電量の残量表示として表示してもよい。
【００５９】
ここで、図２と図３を参照し、表示部１１０における表示について、２つの例をあげて説明する。
図２と図３は、本実施形態における表示部１１０を示す図である。
図２に示される表示部１１０は、電量低下状態を複数の機能に対応させて並べて表示する場合の一例を第１の表示例として示すものである。
表示部１１０は、蓄電部１７０の蓄電量の残量表示を、バーグラフによって表示する。このバーグラフにおいては、蓄電量がレベルＬ１からＬ５までの５ランクに分けて表示されており、レベルＬ５からＬ１の順に応じて少なくなる蓄電量を示す。
図２に示されているこのバーグラフにおいて、各レベルに対応する表示は四角形ＳＱ１からＳＱ５の内側の輝度又は色相によって蓄電量が示される。この図２においては、蓄電量が、対応するレベルを満たす場合には黒く塗りつぶされた四角形によって示され、対応するレベルを満たす場合には白抜きの四角形によって示される。この図２に示されている例では、レベルＬ１からレベルＬ４までが、黒く塗りつぶされた四角形ＳＱ１からＳＱ４によって示され、レベル５が、白抜きの四角形ＳＱ５によって示されている。要するに、この図２に示されている蓄電量は、レベル４として示される蓄電量が、蓄電部１７０に蓄積されている状態を示している。
【００６０】
また、表示部１１０は、複数の機能についての動作可能な蓄電量を共通のバーグラフメータによって示す。バーグラフのスケールとして、それぞれの機能を示す表示（Ｆ１からＦ３）が示されている。
例えば、機能Ｆ１が再生画像表示機能を示し、機能Ｆ２が動作モード情報を保持する機能を示し、機能Ｆ３が時刻情報及び日付情報を保持する機能を示す。
この図２に示されている表示には、すでに再生表示機能（機能Ｆ１）を継続させることができず、動作モード情報を保持する機能（機能Ｆ２）及び時刻情報及び日付情報を保持する機能（機能Ｆ３）を現在の状態では機能させることができる状態がそれぞれ示されている。この表示に示されている状態によれば、さらに蓄電量が減少することにより、動作モード情報を保持する機能（機能Ｆ２）を維持することが困難な状況になりうることがわかる。
以上に示した第１の表示例によって、蓄電部１７０に蓄積されている蓄電量を示すことができる。
【００６１】
図３に示される表示部１１０は、蓄電量低下状態を複数の機能に対応させて並べて表示する場合の一例を第２の表示例として示すものである。
表示部１１０は、蓄電量に基づいて算出された、各機能の動作を継続することができる時間を示す数値情報を表形式によって表示する。
この図３の表に示されている表示には、蓄電量低下状態として、所定機能が機能可能な時間が示されている。例えば、この図３の表は、再生表示機能（機能Ｆ１）を継続させることができる残り時間が１分あり、動作モード情報を保持する機能（機能Ｆ２）を継続させることができる残り時間が３分あり、時刻情報及び日付情報を保持する機能（機能Ｆ３）を継続させることができる残り時間が５分あることを示している。
このように、表示部１１０が各機能に対応させた表形式で表示することにより、それぞれの機能を継続させることができる時間を、一目で把握できるようになる。
以上に示した第２の表示例によって、蓄電部１７０に蓄積されている蓄電量を示すことができる。
【００６２】
なお、図２と図３に示した表示例のほかにも異なる表示方法がある。例えば、上記のように各機能に対応させた表形式で表示することに代えて、一箇所の表示部を各機能で共用し、各機能に対応させた時分割表示にして、各機能に応じた情報を周期的に切り替えて表示させてもよい。上記の表形式においては一目で把握することができたが、周期的に切り替える時分割表示にした場合、１周期分の時間をかけて複数の機能に対応させて切り替ええて表示するので、並べて表示する場合と同じ情報量を得ることができる。また、表示部１１０を小型化できるという利点がある。
【００６３】
以上に示した表示例による表示から、バッテリー１６０の交換作業を行うユーザーが蓄電部１７０に蓄積されている蓄電量を確認できるようになるので、交換作業を速やかに進めるように調整することができる。また、仮に動作を停止した機能が生じた場合であっても、例えば消失した情報の範囲を特定することができるので、全ての情報の確認や再登録を行うことなく、必要とされる情報の再登録を行うだけで、バッテリー１６０の交換前の情報を復元させることができる。
【００６４】
図４を参照し、撮像装置１が備える３つの機能部を蓄電量に応じて制御する手順を示す。
図４は、撮像装置が備える３つの機能部を制御する手順を示すフローチャートである。この図４に示す手順において、第１機能部、第２機能部、及び第３機能部の３つの機能部を制御対象として説明する。例えば、第１機能部、第２機能部、及び第３機能部のそれぞれは、表示部１１１、動作モード情報を記憶するメモリー部１３５、及び、日付情報、時刻情報を記憶するメモリー部１３５のそれぞれである。
また、以下の説明において、３つの機能部の全てが機能する制御状態を第１状態とし、３つの機能部のうち第２機能部及び第３機能部が機能する制御状態を第２状態とし、３つの機能部のうち第３機能部が機能する制御状態を第３状態とする。上記の３つの状態に応じて、表示制御部１９０は、表示部１１０の表示を上記の制御状態に応じて切り替える。例えば、表示制御部１９０には制御状態に対応する状態フラグがそれぞれ設けられており、それぞれの状態フラグは、対応する制御状態に応じて互いに排他的に設定される。表示制御部１９０は、状態フラグを参照し、状態フラグの設定に従って制御状態を遷移させる。このようにして制御状態を遷移させることにより、表示制御部１９０は、表示部１１０の表示を切り替える。
また、カメラ制御部１３０は、表示制御部１９０の状態フラグを参照し、状態フラグの設定に従って電源部１２０を制御して、それぞれの機能部に供給する電源の供給を制御してもよい。
【００６５】
検出部１８０がバッテリー１６０の装着状態を検出する（ステップＳ１０）。
表示制御部１９０は、検出部１８０によって検出された検出情報に従って、バッテリー１６０が装着状態にあるか否かを判定する（ステップＳ２０）。
ステップＳ２０における判定の結果、バッテリー１６０が装着状態にあると判定した場合（ステップＳ２０：Ｙｅｓ）には、カメラ制御部１３０及び表示制御部１９０は、この図に示される処理を終える。
【００６６】
ステップＳ２０における判定の結果、バッテリー１６０がはずされた状態にあると判定した場合（ステップＳ２０：Ｎｏ）には、表示制御部１９０は、計時処理を開始させて、第１フラグをセットして第１状態としての制御を行う（ステップＳ３０）。
【００６７】
表示制御部１９０は、表示制御部１９０によって計時された時間が、第１閾値時間に達しているか否かを判定する（ステップＳ４０）。
【００６８】
ステップＳ４０における判定の結果、表示制御部１９０によって計時された時間が、第１閾値時間に達していないと判定された場合（ステップＳ４０：Ｎｏ）には、カメラ制御部１３０及び表示制御部１９０は、制御状態が第１状態を継続するように制御するとともに、この図に示される処理を終える。
【００６９】
ステップＳ４０における判定の結果、表示制御部１９０によって計時された時間が、第１閾値時間に達していると判定された場合（ステップＳ４０：Ｙｅｓ）には、表示制御部１９０は、表示制御部１９０によって計時された時間が、第２閾値時間に達しているか否かを判定する（ステップＳ６０）。
【００７０】
ステップＳ６０における判定の結果、表示制御部１９０によって計時された時間が、第２閾値時間に達していないと判定された場合（ステップＳ６０：Ｎｏ）には、表示制御部１９０は、第２フラグをセットする。そして、カメラ制御部１３０及び表示制御部１９０は、制御状態を第２状態に遷移させるとともに、この図に示される処理を終える（ステップＳ７０）。
【００７１】
ステップＳ６０における判定の結果、表示制御部１９０によって計時された時間が、第２閾値時間に達していると判定された場合（ステップＳ６０：Ｙｅｓ）には、表示制御部１９０は、第３フラグをセットする。そして、カメラ制御部１３０及び表示制御部１９０は、制御状態を第３状態に遷移させるとともに、この図に示される処理を終える（ステップＳ８０）。
以上の手順により設定された状態フラグに応じた表示を、表示制御部１９０が表示１１０に表示させる。
【００７２】
以上に示したように、カメラボディ１００は、表示制御部１９０が蓄電部１７０（例えばコンデンサー１７２）の蓄電量を表示部１１０に表示させることによって、メモリー部１３５に記憶されている情報を消失するまでの時間を表示することができる。これにより、ユーザーは、メモリー部１３５に記憶されている情報を消失するまでの時間を確認しながらバッテリー１６０の交換作業を行うことができるようになる。よって、カメラボディ１００にバッテリー１６０を装着していない状態の作業性を向上させることができる。
【００７３】
なお、カメラボディ１００が備える複数の機能に対応させて、カメラ制御部１３０は、蓄電量の低下状態を表示する場合がある。この場合においては、表示制御部１９０は、蓄電量の低下状態を複数の機能に対応させて表示部１１０に表示させる。
【００７４】
なお、カメラ制御部１３０、メモリー部１３５、及び、検出部１８０のうちの何れか複数の機能部を、１つの半導体装置として構成してもよい。或は、上記複数の機能部を、複数の半導体装置を１つの基板上に構成した複合型半導体装置（いわゆる「マルチチップ型半導体装置」）として構成してもよい。
【００７５】
なお、表示部１１０と表示部１１１とを一体化して、共用させるように構成してもよい。
【００７６】
また、表示部１１０は、撮影時に使用する補助光の光源や、他の警報表示の表示部と兼用してもよい。
【００７７】
なお、表示部１１０に表示することとしたが、音響、振動などによってユーザーに示すようにしてもよい。例えば、音響の場合には、カメラボディ１００が備える音出力部１１２から出力させてもよい。音出力部１１２は、スピーカー又はブザー等を含んで構成されている。なお、音出力部１１２は、例えば、記録されている動画データを再生表示する際に、この動画データに関連付けられている音データを出力するためのスピーカーと兼用して設けられているものであってもよいし、別に設けられているものであってもよい。
【００７８】
＜第２実施形態＞
以下、図５を参照して、本発明の実施の形態について説明する。
図５は、この発明の第２実施形態による撮像装置１Ａの構成の一例を示す概略ブロック図である。
この図５に示す撮像装置１Ａ（電子装置）は、レンズ交換式の撮像装置の一態様を示すものであり、交換レンズ２００と、交換レンズ２００を着脱可能なカメラボディ１００Ａ（電子装置）と、を備えている。
【００７９】
（カメラボディ１００Ａの構成）
次に、カメラボディ１００Ａの構成について詳しく説明する。
カメラボディ１００Ａは、撮像部１０２と、表示部１１０と、表示部１１１と、音出力部１１２と、電源部１２０と、カメラ制御部１３０（状態制御部）と、メモリー部１３５と、カメラ操作部１４０と、バッテリー１６０を収納するバッテリー部１６０Ｂと、蓄電部１７０Ａと、表示制御部１９０とを備えている。
【００８０】
本実施形態の蓄電部１７０Ａは、電源端子ＴＰ１と、電源端子ＴＰ２と、接地端子ＴＧとを備える。蓄電部１７０Ａは、バッテリー１６０に対して並列な回路になるように、電源端子ＴＰ１と接地端子ＴＧとが、バッテリー部１６０Ｂの正極端子と負極端子とにそれぞれ接続されている。このように接続された蓄電部１７０Ａは、バッテリー１６０がバッテリー部１６０Ｂに装着されていない非装着状態になった場合にバッテリー１６０から供給される電力に代えて電力を供給する。例えば、蓄電部１７０Ａは、両端が電源端子ＴＰ１と接地端子ＴＧとに接続されているコンデンサー１７２を備える。コンデンサー１７２の両端が電源端子ＴＰ１と接地端子ＴＧとに接続されている。
【００８１】
さらに蓄電部１７０Ａは、電源端子ＴＰ２と接地端子ＴＧとによって、表示制御部１９０と、表示部１１０とに並列な回路になるように接続されている。
このような蓄電部１７０Ａは、さらに電池１７４と、検出部１８０Ａとを備える。蓄電部１７０Ａにおいて、電池１７４の正極が検出部１８０Ａを介して蓄電部１７０における電源端子ＴＰ２に、電池１７４の負極が蓄電部１７０Ａにおける接地端子ＴＧにそれぞれ接続されている。
なお、コンデンサー１７２は、電池交換時に電力を供給するための電池であってもよい。
【００８２】
検出部１８０Ａは、バッテリー部１６０Ｂに設けられており、バッテリー部１６０Ｂにおけるバッテリー１６０の非装着状態を検出する。例えば、検出部１８０Ａは、バッテリー１６０が装置されるバッテリー部１６０Ｂ内の空間に突出する突出部を備えるスイッチ部を備える。検出部１８０Ａの突出部は、バッテリー１６０が装着されている状態と、装着されていない状態とを検出できるように設けられており、検出した状態に応じてスイッチの接点のＯＮ／ＯＦＦ状態を切り換える。
検出部１８０Ａが備えるスイッチのＯＮ／ＯＦＦ状態に応じて、表示制御部１９０と、表示部１１０とに対する給電が制御される。例えば、検出部１８０Ａが備えるスイッチがＯＦＦ状態にある場合、表示制御部１９０と表示部１１０とに対する電池１７４からの給電が中断される。要するに、表示制御部１９０と表示部１１０とに対して電池１７４からの給電が不要な場合は、バッテリー１６０が装着されている場合である。このように、バッテリー１６０が装着されている場合であれば、検出部１８０Ａが備えるスイッチがＯＦＦ状態になるため、電池１７４からの無駄な放電を防ぐことができる。
一方で、バッテリー１６０が装着されていない状態にあれば、検出部１８０Ａが備えるスイッチがＯＮ状態になるため、電池１７４からの電力を表示制御部１９０と表示部１１０とに対して、効率よく供給することができる。
なお、検出部１８０Ａが備えるスイッチがＯＮ状態にある場合には、前述の第１実施形態の処理と同様の処理が行われる。
【００８３】
以上に示したように、カメラボディ１００Ａは、表示制御部１９０が蓄電部１７０Ａの蓄電量を表示部１１０に表示させることによって、メモリー部１３５に記憶されている情報を消失するまでの時間を表示することができる。これにより、ユーザーは、メモリー部１３５に記憶されている情報を消失するまでの時間を確認しながらバッテリー１６０の交換作業を行うことができるようになる。よって、カメラボディ１００Ａにバッテリー１６０を装着していない状態の作業性を向上させることができる。
【００８４】
＜第３実施形態＞
以下、図６を参照して、本発明の実施の形態について説明する。
図６は、この発明の第３実施形態による撮像装置１Ｂの構成の一例を示す概略ブロック図である。
この図６に示す撮像装置１Ｂ（電子装置）は、レンズ交換式の撮像装置の一態様を示すものであり、交換レンズ２００と、交換レンズ２００を着脱可能なカメラボディ１００Ｂ（電子装置）と、を備えている。
【００８５】
（カメラボディ１００Ｂの構成）
次に、カメラボディ１００Ｂの構成について詳しく説明する。
カメラボディ１００Ｂは、撮像部１０２と、表示部１１０と、表示部１１１と、音出力部１１２と、電源部１２０と、カメラ制御部１３０（状態制御部）と、メモリー部１３５と、カメラ操作部１４０と、バッテリー１６０を収納するバッテリー部１６０Ｂと、蓄電部１７０Ａと、状態判定部１８５と、表示制御部１９０Ｂとを備えている。
【００８６】
蓄電部１７０Ａの電源端子ＴＰ１には、蓄電部１７０Ａの電源端子ＴＰ１の電圧に基づいて蓄電部１７０Ａの蓄電量を判定する状態判定部１８５の入力端子が接続されている。
状態判定部１８５は、検出部１８０Ａによるバッテリー１６０の非装着状態の検出以降に、蓄電部１７０Ａの蓄電量が所定の閾値より少ない状態であるか否かを判別し、所定の閾値より少ない状態であれば蓄電量低下状態にあると判定する。状態判定部１８５は、判定結果を表示制御部１９０Ｂに送る。例えば、状態判定部１８５は、基準電圧Vrefを生成する分圧抵抗Ｒ１，Ｒ２と、生成した基準電圧Vref及び入力信号の電圧（蓄電部１７０Ｂの電源端子ＴＰ１の電圧）Vinpを比較するコンパレータＣＭＰとを備える。
【００８７】
本実施形態における表示制御部１９０Ｂは、状態判定部１８５によって判定された結果に従って、蓄電部１７０Ａの電圧（コンデンサー１７２の蓄電量）に基づいて継続時間を検出する。このような表示制御部１９０Ｂは、蓄電部１７０Ａの電圧（コンデンサー１７２の蓄電量）が予め定められた所定の電圧（蓄電量）になることを検出することにより継続時間を検出する。
また、本実施形態における表示制御部１９０Ｂは、蓄電量低下状態を複数の機能に対応させて表示部１１０に表示させてもよい。
また、本実施形態における表示制御部１９０Ｂは、蓄電量低下状態を蓄電部１７０の蓄電量の残量表示として表示部１１０に表示させてもよい。
また、本実施形態における表示制御部１９０Ｂは、蓄電量低下状態を所定機能が機能可能な時間として表示部１１０に表示させてもよい。
また、本実施形態における表示制御部１９０Ｂは、複数の機能ごとの蓄電量低下状態を、複数の機能に対応させて表示させてもよい。
また、本実施形態における表示制御部１９０Ｂは、蓄電量低下状態を複数の機能に対応させて並べて表示部１１０に表示させてもよい。
また、本実施形態における表示制御部１９０Ｂは、蓄電量低下状態を複数の機能に対応させて切り替ええて表示させてもよい。
【００８８】
表示制御部１９０Ｂの処理は、前述の表示制御部１９０の処理に準じたものとする。表示制御部１９０の説明において、表示制御部１９０を表示制御部１９０Ｂと読み替える。
【００８９】
以上に示したように、カメラボディ１００Ｂは、表示制御部１９０Ｂが蓄電部１７０Ａの蓄電量を表示部１１０に表示させることによって、メモリー部１３５に記憶されている情報を消失するまでの時間を表示することができる。これにより、ユーザーは、メモリー部１３５に記憶されている情報を消失するまでの時間を確認しながらバッテリー１６０の交換作業を行うことができるようになる。よって、カメラボディ１００Ｂにバッテリー１６０を装着していない状態の作業性を向上させることができる。
【００９０】
＜第４実施形態＞
以下、図５、図７を参照して、本発明の実施の形態について説明する。
図７は、この発明の第４実施形態における撮像装置１Ａの構成の一部を示す概略ブロック図である。
この図７に示す蓄電部１７０Ｂは、前述の蓄電部１７０（図１）、１７０Ａ（図５、図６）を置き換えることができる。蓄電部１７０Ｂは、前述の蓄電部１７０、１７０Ａと内部の構成が異なるものである。
【００９１】
本実施形態の蓄電部１７０Ｂは、さらに電源端子ＴＰ１と電源端子ＴＰ２との間に接続されたダイオード１７６を備えており、ダイオード１７６のカソード端子が電源端子ＴＰ１に接続され、ダイオード１７６のアノード端子が電源端子ＴＰ２に接続されている。
【００９２】
このような蓄電部１７０Ｂは、上記のダイオード１７６を備えることにより、次の場合における電力を電池１７４に蓄積されている電力によって補うことが可能となる。
１）バッテリー１６０の蓄電量が少なくなり、電池１７４の電圧よりバッテリー１６０の電圧が低くなる場合。
２）蓄電部１７０（コンデンサー１７２）に蓄積されている蓄電量が少なくなり、電池１７４の電圧よりバッテリー１６０の電圧が低くなる場合。
【００９３】
上記のように、バッテリー１６０及びコンデンサー１７２の蓄電量が不足している状態になった場合においても、電池１７４から電力が供給されることにより、蓄電量が不足した状態に到る時刻を遅らせることができる。
【００９４】
なお、この図７に示されている蓄電部１７０Ｂの構成から、コンデンサー１７２を削除してもよい。この場合、電池１７４は、電池１７４に蓄積されている電力によって、１１０と１９０とに加え、カメラ制御部１３０とメモリー部１３５とにも、電力を供給することができる。
【００９５】
以上に示した実施形態によれば、撮像装置１（１Ａ，１Ｂ）は、カメラボディ１００（１００Ａ,１００Ｂ）にバッテリー１６０を装着していない状態の作業性を向上させることができる。
【００９６】
なお、上記実施形態における表示部１１０は、交換レンズ２００に備えられていてもよい。例えば、表示部１１０は、交換レンズ２００に備えられ、レンズ制御部２３０により制御されてもよいし、カメラ制御部１３０の制御によりレンズ制御部２３０を介して制御されてもよい。また、表示部１１０は、カメラ制御部１３０とレンズ制御部２３０とにより協調制御されてもよい。
【００９７】
また、図１の撮像装置１は、レンズ交換式の撮像装置に限られるものではなく、図１に示す交換レンズ２００とカメラボディ１００とが一体化された構成の撮像装置であってもよい。
【００９８】
なお、図１、図５、及び図６におけるカメラ制御部１３０、表示制御部１９０（１９０Ａ、１９０Ｂ）又はレンズ制御部２３０は専用のハードウェアにより実現されるものであってもよく、また、メモリー及びＣＰＵ（中央演算装置）により構成され、上述の各部の機能を実現するためのプログラムをメモリーにロードして実行することによりその機能を実現させるものであってもよい。
【００９９】
また、図１、図５、及び図６におけるカメラ制御部１３０、表示制御部１９０又はレンズ制御部２３０の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【０１００】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１０１】
以上、この発明の実施形態を、図面を参照して詳述してきたが、具体的な構成はこの実施形態に限られるものではなく、この発明の要旨を逸脱しない範囲の設計等も含まれる。
【符号の説明】
【０１０２】
１、１Ａ、１Ｂ  撮像装置、１０２  撮像部、１００、１００Ａ、１００Ｂ  カメラボディ、１１０  表示部、１３０  カメラ制御部（状態制御部）、１６０  バッテリー、１６０Ｂ  バッテリー部、１７０、１７０Ａ、１７０Ｂ  蓄電部、１８０、１８０Ａ，１８０Ｂ  検出部、１９０  表示制御部、１９０ｔ  継続時間検出部
【図１】
2013153269.tif 000003
【図２】
2013153269.tif 000004
【図３】
2013153269.tif 000005
【図４】
2013153269.tif 000006
【図５】
2013153269.tif 000007
【図６】
2013153269.tif 000008
【図７】
2013153269.tif 000009